(57)【要約】【課題】  一つの器具でジャンボタニシの成貝と卵を両方捕獲できるようにする。【解決手段】  水平なベース部とベース部の両側からアーチ形に立ち上がる側延部とからなるフレームと、ベース部及び側延部から後延してジャンボタニシは透過させない網目を有する袋状のネットと、ベース部から前方に突出するブラシと、側延部の頂部から上延する柄とからなる。【選択図】  図６
2011101609.tif 000002
【特許請求の範囲】
【請求項１】
水平なベース部とベース部の両側からアーチ形に立ち上がる側延部とからなるフレームと、ベース部及び側延部から後延してジャンボタニシは透過させない網目を有する袋状のネットと、ベース部から前方に突出するブラシと、側延部の頂部から上延する柄とからなるジャンボタニシの捕獲器。
【請求項２】
側延部の下部にも幅狭のブラシが取り付けられている請求項１のジャンボタニシの捕獲器。
【請求項３】
ネットの網目が在来タニシは透過するものである請求項１又は２のジャンボタニシの捕獲器。
【請求項４】
柄が伸縮できるものである請求項１〜３いずれかのジャンボタニシの捕獲器。
【請求項５】
ベース部の後方にベースを継ぎ足し、ベースに前後にスライドするスライド板を載せ、スライド板の先端に後退するとベース部の先端から後退し、前進するとベース部の先端から突出するブラシを取り付けるとともに、柄をベースにまで延ばした請求項１のジャンボタニシの捕獲器。
【請求項６】
ベース部の先端に先端をカットした山形の刃が形成される請求項５のジャンボタニシの捕獲器。
【請求項７】
柄の延長上でベース部の底面に硬質のプレートを取り付けた請求項５又は６のジャンボタニシの捕獲器。
【発明の詳細な説明】
【技術分野】
【０００１】
本発明は、スクミリンゴガイ（ジャンボタニシ）の捕獲器に関するものである。
【背景技術】
【０００２】
ジャンボタニシは元々は食用として日本に輸入されたとも言われているが、現在では、用水や水田の中に多数棲息している。ジャンボタニシの成貝は稲の幼苗を食い荒らして収穫を減らし、卵はピンク色をした卵塊となって用水の擁壁等に付着して景観を害す。そこで、ジャンボタニシの食侵による被害と景観の悪化を防ぐために補助金等を交付して積極的な捕獲・駆除を行っている地域もある。
【０００３】
ジャンボタニシの捕獲・駆除には、特許文献１に見られるように化学又は自然物質を使って駆除する方法と、特許文献２に見られるように何らかの器具を用いて捕獲する方法とがある。しかし、前者による方法は、害にならないとはいっても本来必要でない物質を投与するものであるから、自然界に与える影響は避けられない。また、後者に示される捕獲具は、籠の中に餌を入れてジャンボタニシが入って来るのを待つ他力本願的なもので効率が悪い。
【先行技術文献】
【特許文献】
【０００４】
【特許文献１】特開２００６−０３６７４５号公報
【特許文献２】実用新案登録第３１１６９８３号公報
【発明の概要】
【発明が解決しようとする課題】
【０００５】
本発明は、成貝、卵の両方を効率的に捕獲、壊滅できるようにしてジャンボタニシの個体数を減らしめ、ついには、せん滅させようとするものである。
【課題を解決するための手段】
【０００６】
以上の課題の下、本発明は、請求項１に記載した、水平なベース部とベース部の両側からアーチ形に立ち上がる側延部とからなるフレームと、ベース部及び側延部から後延してジャンボタニシは透過させない網目を有する袋状のネットと、ベース部から前方に突出するブラシと、側延部の頂部から上延する柄とからなるジャンボタニシの捕獲器を提供するとともに、これにおいて、請求項２に記載した、側延部の下部にも幅狭のブラシが取り付けられている手段、請求項３に記載した、ネットの網目が在来タニシは透過するものである手段、請求項４に記載した、柄が伸縮できるものである手段を提供する。
ボタニシの捕獲器。
【０００７】
また、本発明は、以上の捕獲器において、請求項５に記載した、ベース部の後方にベースを継ぎ足し、ベースに前後にスライドするスライド板を載せ、スライド板の先端に後退するとベース部の先端から後退し、前進するとベース部の先端から突出するブラシを取り付けるとともに、柄をベースにまで延ばしたジャンボタニシの捕獲器を提供するとともに、これにおいて、請求項６に記載した、ベース部の先端に先端をカットした山形の刃が形成される手段、請求項７に記載した、柄の延長上でベース部の底面に硬質のプレートを取り付けた手段を提供する。
【発明の効果】
【０００８】
請求項１の発明によると、用水や水田にいるジャンボタニシ（以下、タニシ）はフレームに取り込むだけでネットに引っ掛かり外に漏れ出ない。したがって、一度に多くを捕獲できる。また、用水の擁壁や稲等に付着している卵はブラシで擦潰できるとともに、ブラシで洗浄もできるから、跡がきれいになる。請求項２の手段によると、擁壁の継ぎ目等の細い溝の中に付着した卵も擦潰できるし、請求項３の手段によると、害のない在来タニシを捕獲しないし、請求項４の遮断によると、低い所のタニシや卵を捕獲できる。
【０００９】
請求項５の手段によると、ブラシとフレームを使い分けることができ、特に、擁壁等に付着した成貝を確実、かつ、効率的に捕獲できる。そして、請求項６の手段によると、水田の草取りも可能であるし、危険の回避もできる。請求項７の手段によると、捕獲したタニシの貝殻を衛生的に潰すことができる。
【図面の簡単な説明】
【００１０】
【図１】捕獲器の斜視図である。
【図２】捕獲器の他の例を示す斜視図である。
【図３】捕獲器の要部を示す一部断面側面図である。
【図４】捕獲器の要部を示す一部平面側面図である。
【図５】捕獲器の要部を示す一部平面図である。
【図６】捕獲器の使用状態を示す説明図である。
【発明を実施するための形態】
【００１１】
以下、本発明の実施の形態を図面を参照して説明する。図１は本発明に係る捕獲器の斜視図であるが、この捕獲器Ａは、アーチ形をしたフレーム１と、フレーム１に前端を止められて後方に延びるネット２と、フレーム１に取り付けられたブラシ３と、フレーム１から上方に延ばされる柄４とからなる。この場合におけるフレーム１は、水平なベース部１ａとベース部１ａの両端からアーチ形に立ち上がる側延部１ｂとからなる略三角形状をした帯状のものである。
【００１２】
フレーム１にはネット２の前端が取り付けられており、後部は後方に延びて後端は閉ざされた袋状になっている。フレーム１のベース部１ａにはブラシ３が前方に突出した状態で取り付けられており、このブラシ３は金属又は硬質樹脂製の丈夫なもので構成されている。また、柄４は側延部１ｂの合わさった個所から上方に延びるポール状をしたものである。この他、フレーム１の両側の下部には幅狭のブラシ５が取り付けられている。
【００１３】
以上がこの捕獲器Ａの構成であるが、次に、この捕獲器Ａによるタニシの捕獲について説明する。タニシは暖かくなると、土から出てコンクリート製の擁壁や稲の茎に付着しているが、棲息するのはあくまで水の中である。ただ、卵は水の中では孵化できないので、卵だけは水面上に産み付ける。図６は擁壁に付着しているタニシ６ａや卵６ｂの捕獲、擦潰の状態を示す説明図であるが、タニシ６ａは水の中で、卵６ｂは水面上で擁壁７に付着している。
【００１４】
そこで、柄４を持って擁壁７の上に立ち、ブラシ３で水中の擁壁７に付着しているタニシ６ａを掬い取るようにすることで、ネット２の中に取り込むことができる。このとき、ネット２の網目はタニシの成貝を捕獲できる大きさにしてあり、在来タニシは透過させて逃がすようにしている。タニシは在来タニシより大形であり、在来タニシは別に害を与えないからである。この網目を１７ｍｍ平方位にしておけば、タニシと在来タニシを区別できると言われている。これによると、タニシの稚貝はネット２の目をくぐり抜けるが、この駆除作業を継続することでタニシの数は徐々に減り、ついには姿を見なくなる。
【００１５】
一方、水面上の擁壁８に付着している卵６ｂについては、ブラシ３で擦り潰す（擦潰する）ことによって水の中に落とし込める。擦潰は容易であるが、跡に色が付くことがあるから、その場合はフレーム１で水を掬い、ブラシ３で擁壁７を擦れば色を消すことができる。なお、コンクリートの擁壁７の場合、継ぎ目の部分で細い溝になっていることがあり、この部分にも卵６ｂが付着することもあるが、このときは、フレーム１のサイドの幅狭のブラシ５で擦ればよい。
【００１６】
さらに、水田の中にもタニシ６ａや卵６ｂは存在する。この場合、圃場における端の植条と擁壁７との間の空間に多く棲息し、条間にも棲息しているが、擁壁７については上記と同じであり、稲の茎に付着しているものは、ブラシ３で擦り取る。このとき、柄４を持って水田の中を引っ張ることで効率的な捕獲ができるから、これができるように、フレーム１の幅はこの空間又は稲の条間よりも狭いものにしておくのが好ましい。
【００１７】
ネット２に取り込まれたタニシは中から取り出して焼却等廃棄する。このとき、タニシは駆除の完全を期してその貝殻を潰しておくのが適する。タニシの貝殻は非常に軟らかくて脆いから、足で踏み潰すことで容易に破壊できる。この点、在来タニシの貝殻は硬く、踏み潰して容易に潰れるのがタニシ、そうでないのが在来タニシという区別もできる。
【００１８】
図２は捕獲器Ａの他の例を示す斜視図、図３、図４は要部の断面側面図、図５は要部の平面図であるが、本例のものは、ブラシ３が前後できるものである。具体的には、フレーム１のベース部１ａの後方にベース８を継ぎ足し、ベース８にスライド板９を載せ、スライド板９の先端にブラシ３を取り付けたものである。スライドの構成は、スライド板９の両側に前後に延びる長孔１０を形成しておき、長孔１０に蝶ボルト１１等を差し込んでベース８に形成されたねじ孔に螺入して固定するものが考えられる。なお、この場合のベース８は鋼板や硬質樹脂等の硬いものが適する。
【００１９】
これにより、スライド板９を前後にスライドさせると、ブラシ３も進退するが、前方に出したときには、ブラシ３がフレーム１のベース部１ａの先端から前に突出し、後方に引いたときには、ブラシ３がベース部１ａの先端から後退するようになっている。この点で、擦潰を主とするブラシ３と捕獲を主とするベース部１ａの使い分けが可能になり、それぞれを最適に使いこなすことができる。
【００２０】
さらに、この場合、ベース部１ａの先端は刃に形成されるのが適する。タニシの捕獲も容易であるし、この捕獲器Ａを水田の中で操作するときに雑草を取ることができるからである。刃には種々のものがあるが、本例では、先端をカットした山形の刃１２を示している。先端をカットするのは危険を避けるためである。
【００２１】
この他、本例では、柄４をベース８まで延ばしているとともに、伸縮式にしている（１３はその調整具）。ベース８の強度を高めるためと、用水等が低い個所にある場合にも対応できるようにするためである。さらに、ベース８の底面で柄４の延長上に硬いプレート１４を取り付けている。捕獲したタニシの貝殻を潰す場合、直接足で潰すのは抵抗があるような場合、このプレート１４で潰せば抵抗は少ない。
【符号の説明】
【００２２】
Ａ      捕獲器
１      フレーム
１ａ        〃  のペース部
１ｂ        〃  の側延部
２      ネット
３      ブラシ
４      柄
５      ブラシ
６ａ    ジャンボタニシ
６ｂ    ジャンボタニシの卵
７      擁壁
８      ベース
９      スライド板
１０    長孔
１１    蝶ボルト
１２    山形の刃
１３    長さ調整具
１４    プレート
【図１】
2011101609.tif 000003
【図２】
2011101609.tif 000004
【図３】
2011101609.tif 000005
【図４】
2011101609.tif 000006
【図５】
2011101609.tif 000007
【図６】
2011101609.tif 000008